(57)【要約】【課題】観者の関心を常時維持し続け、点灯時に壮麗な発光を演出するのみならず、外観の意匠性を具備し、さらに使用時、非使用時を問わず雰囲気を創出することができる電飾樹木構造体を提供する。【解決手段】単一の幹部材１１と、前記幹部材に接続される一又は複数の中枝部材１２と、前記各中枝部材に接続される多数の小枝部材１３よりなる樹木形状を模した樹木構造体１０であって、前記小枝部材１３を、小枝本体部１４と、花形状もしくは葉形状である透明樹脂よりなる保持体の中心に発光ダイオードを保持した電飾片を複数束ね電飾部材とし、電飾部材を複数寄せ合わせた電飾枝部６０とから構成する。【選択図】図１
2006056105.tif 000002
【特許請求の範囲】
【請求項１】
単一の幹部材と、
前記幹部材に接続される一又は複数の中枝部材と、
前記各中枝部材に接続される多数の小枝部材よりなる樹木形状を模した樹木構造体であって、
前記小枝部材は、小枝本体部と、透明樹脂よりなる保持体の中心に発光ダイオードを保持した電飾片を複数束ね電飾部材とし、前記電飾部材を複数寄せ合わせた電飾枝部とから構成されていることを特徴とする電飾樹木構造体。
【請求項２】
前記透明樹脂よりなる保持体が、花形状もしくは葉形状である請求項１に記載の電飾樹木構造体。
【請求項３】
前記発光ダイオードには被膜が被着されている請求項１又は２に記載の電飾樹木構造体。
【請求項４】
前記幹部材、前記中枝部材、前記小枝本体部の少なくとも一以上に、保護カバー体が巻着されている請求項１ないし３のいずれか１項に記載の電飾樹木構造体。
【発明の詳細な説明】
【技術分野】
【０００１】
本発明は、電飾樹木構造体に関し、特に樹木構造体の枝先部分を発光ダイオードにより電飾する電飾樹木構造体である。
【背景技術】
【０００２】
低廉な価格で各色の発光ダイオードを入手することができるため、発光ダイオードは種々の照明器具、電飾体に利用されている。例えば、打ち上げ花火が空中で開裂し閃光を伴いながら拡散する様子を発光ダイオードの点灯により表現した電子制御花火集合体が提案されている（特許文献１参照）。
【０００３】
前掲の特許文献１によると、当該電子制御花火集合体は管体に球形支持体を備え、この球形支持体を中心として、放射状に先端に閃光体を有する支持桿が備えられている。そして、これら管体、球形支持体、支持桿、閃光体に発光ダイオードを備え、音と共に打ち上げ花火の美麗な閃光を演出している。
【０００４】
確かに光と音と相まって、打ち上げ花火を表現しているものの、発光態様等の演出が何度か繰り返されるうちに観者の関心は次第と薄れてしまう。また、昼間等の点灯していない状態では、このような電子制御花火集合体のみの演出効果は乏しい。そのため、使用時、非使用時を問わず雰囲気を創出しているとは言えなかった。
【特許文献１】特開２００４−８２４５４号公報
【発明の開示】
【発明が解決しようとする課題】
【０００５】
本発明は前記の点に鑑みなされたものであり、観者の関心を常時維持し続け、点灯時に壮麗な発光を演出するのみならず、外観の意匠性を具備し、さらに使用時、非使用時を問わず雰囲気を創出することができる電飾樹木構造体を提供する。
【課題を解決するための手段】
【０００６】
すなわち、請求項１の発明は、単一の幹部材と、前記幹部材に接続される一又は複数の中枝部材と、前記各中枝部材に接続される多数の小枝部材よりなる樹木形状を模した樹木構造体であって、前記小枝部材は、小枝本体部と、透明樹脂よりなる保持体の中心に発光ダイオードを保持した電飾片を複数束ね電飾部材とし、前記電飾部材を複数寄せ合わせた電飾枝部とから構成されていることを特徴とする電飾樹木構造体に係る。
【０００７】
請求項２の発明は、前記透明樹脂よりなる保持体が、花形状もしくは葉形状である請求項１に記載の電飾樹木構造体に係る。
【０００８】
請求項３の発明は、前記発光ダイオードには被膜が被着されている請求項１又は２に記載の電飾樹木構造体に係る。
【０００９】
請求項４の発明は、前記幹部材、前記中枝部材、前記小枝本体部の少なくとも一以上に、保護カバー体が巻着されている請求項１ないし３のいずれか１項に記載の電飾樹木構造体に係る。
【発明の効果】
【００１０】
請求項１の発明に係る電飾樹木構造体によると、単一の幹部材と、前記幹部材に接続される一又は複数の中枝部材と、前記各中枝部材に接続される多数の小枝部材よりなる樹木形状を模した樹木構造体であって、前記小枝部材は、小枝本体部と、透明樹脂よりなる保持体の中心に発光ダイオードを保持した電飾片を複数束ね電飾部材とし、前記電飾部材を複数寄せ合わせた電飾枝部とから構成されているため、外観の樹木としての意匠性を具備し、設置された場の雰囲気を創出することができる。さらに、個々の発光ダイオード自体の光量は少ないものの、多量に備えることにより点灯時に壮麗な発光を演出することができる。
【００１１】
請求項２の発明に係る電飾樹木構造体によると、請求項１において、前記透明樹脂よりなる保持体が、花形状もしくは葉形状であるため、使用時、非使用時を問わず樹木の雰囲気をいっそう創出して観者の関心を常時維持し続けることができる。
【００１２】
請求項３の発明に係る電飾樹木構造体によると、請求項１又は２において、前記発光ダイオードには被膜が被着されているため、発光ダイオードの発光色及び被膜の色を組み合わせることによって、発光時の微妙な色調表現が可能となる。
【００１３】
請求項４の発明に係る電飾樹木構造体によると、請求項１ないし３のいずれか１項において、前記幹部材、前記中枝部材、前記小枝本体部の少なくとも一以上に、保護カバー体が巻着されているため、電気配線等を雨水、埃等から保護することができる。さらに、保護カバー体を用いて電気配線等を覆い隠すことにより、樹木形状の外観（すなわち電飾樹木構造体の外観）を損なうことがなくなる。
【発明を実施するための最良の形態】
【００１４】
以下添付の図面に従って本発明を説明する。図１は本発明の電飾樹木構造体の全体側面図、図２は幹部材と中枝部材と小枝部材との接続を示す概略図、図３は小枝部材の全体側面図、図４は保持体の上面図及び側面図、図５は電飾片の概略断面図、図６は第２実施例に係る電飾片の概略断面図、図７は第３実施例及び第４実施例に係る電飾片の上面図、図８は被膜が被着される工程を示す概略図、図９は電飾部材の概略側面図、図１０は電飾枝部の概略側面図、図１１は保護カバー体の概略斜視図である。
【００１５】
図１及び図２を用い、電飾樹木構造体１０の外観及び各部材の接続関係を説明する。請求項１の発明に規定するように、電飾樹木構造体１０は、単一の幹部材１１と、この幹部材に接続される複数の中枝部材１２と、各中枝部材１２に多数の小枝部材１３が接続され、樹木形状を模した樹木構造体として構成されている。図中、符号６０は後述する電飾枝部、Ｇｒは電飾樹木構造体が設置されている地面である。電飾樹木構造体１０の大きさは、樹木の種類により適宜ではあるが、実施例の電飾樹木構造体１０の樹高は最大６ｍであり、地面から小枝部材１３までの高さは概ね３ｍである。
【００１６】
次に、幹部材１１、中枝部材１２及び小枝部材１３における接続関係について説明する。図示の実施例にあっては、幹部材１１は、幹基部材１１ａと幹分枝部材１１ｂの２つの部材から構成される。続いて、複数の中枝部材１２が幹部材１１（幹分枝部材１１ｂ）に接続され、さらに、この中枝部材１２に多数の小枝部材が接続されている。図２においては表記の都合上、中枝部材１２、小枝部材１３を１本ずつとしている。
【００１７】
特に実施例の電飾樹木構造体１０はサクラ（桜）を模しているため、樹冠部分の広がりが必要とされる。そこで、幹分枝部材１１ｂを介することにより、中枝部材１２を複数（実施例では３本）接続することができ、併せて、各中枝部材１２に小枝部材１３を多数接続することができるため、実際のサクラに電飾樹木構造体をより似せることができる。むろん、サクラ以外の樹木を模す場合には、対象となる樹木の幹、枝等を勘案し、所望の形態を模した幹部材、中枝部材、小枝部材とすることができる。また、中枝部材の本数（一又は複数）を変更することもできる。
【００１８】
各部材の接続方法としては、小枝部材１３が多数備えられるため（図１参照）、保持強度を勘案してボルト締め、溶接、嵌合等適宜手法が用いられ接続される。例えば、図示を省略するが、幹基部材１１ａと幹分枝部材１１ｂはフランジを介してボルトにより固定される。
【００１９】
ここで、小枝部材１３の構成について図３を用い説明する。図より理解されるように、小枝部材１３では、小枝本体部１４に複数本の電飾枝部６０が接続されている。実施例によると、電飾枝部６０の接続本数は９本である。ただし、電飾枝部６０の接続本数は特に限定されることはなく、樹木の概形に応じ適宜である。
【００２０】
続いて、電飾枝部６０を構成する各部材の詳細について、細部から順に説明する。図４に示し、請求項２の発明に規定するように、実施例の透明樹脂よりなる保持体２０は花形状である。図４（ａ）の上面図の通り、保持体２０は、５枚の花弁２１を有しサクラの花の形状を模している。また、図４（ｂ）の側面図の通り、花弁２１の下部には発光ダイオード（ＬＥＤ）を保持する保持部２２が形成されている。透明樹脂よりなる保持体は、無色透明、有色透明である限り公知の樹脂が適用可能である。例えばポリ塩化ビニル樹脂等が用いられ、射出成形等の成形により、保持体（花弁と保持部の一体物）が成形される。
【００２１】
図５に示す通り、前記の花形状を模した保持体２０（特には保持部２２）の中心２３に発光ダイオード４０が保持され、この保持体と発光ダイオードが組み合わされて電飾片３０が構成される。保持部２２の内部には、発光ダイオードが着脱自在に挿通可能な保持孔２４が形成されている。着脱自在とすることにより、破損等により劣化した保持体の交換が容易となる。例示の発光ダイオードは砲弾型であるため、この形状に合わせて保持孔２４は円筒形状である。なお、発光ダイオードはこれ以外の形状を用いることができるため、当然に保持孔の形状も適宜である。ここで、使用される発光ダイオードとして、豊田合成株式会社製：白色４φ型、日亜化学工業株式会社製：ＮＥＰＷ５００等が挙げられる。図中、符号４１は発光ダイオードの電極である。
【００２２】
ちなみに、保持体の樹脂色と発光ダイオードの発光色との関係は次の通りである。実施例の電飾樹木構造体はサクラを模しているため、その花の発光の演出において、前記の保持体２０を無色透明の樹脂とする場合、発光色は白色、桃色、赤色等とされる。また、保持体２０を桃色透明等の樹脂とする場合、発光色は白色とされる。
【００２３】
図６は第２実施例に係る電飾片３０Ａを示す。図示の電飾片３０Ａでは、保持体２０Ａの花弁２１の基部分２７にプラスチック繊維、ガラス繊維等の繊維状透明体２６が複数配される。繊維状透明体２６は花における雄しべを模したものである。このため、電飾片（保持体）をよりいっそうサクラの花に似せることができる。図中、図５の電飾片３０と共通する箇所は同一符号とし、その説明を省略する。なお、繊維状透明体２６を黄色に着色することにより、サクラの花としての電飾がさらに美麗となる。
【００２４】
図７は、透明樹脂よりなる保持体を葉形状とする実施例である。図７（ａ）の第３実施例に係る電飾片３０Ｂにおいて、保持体２０Ｂはカエデ（楓）の葉形状を示す。図示の保持部２２Ｂに発光ダイオード４０が保持されている。さらに、図７（ｂ）の第４実施例に係る電飾片３０Ｃにおいて、保持体２０Ｃはヒイラギの葉形状を示す。図示の保持部２２Ｃに発光ダイオード４０が保持されている。
【００２５】
前記の電飾片３０Ｂによると、春・夏の季節感を発光により演出しようとする場合、保持体２０Ｂを無色透明の樹脂として緑色発光ダイオードを用いる他、保持体２０Ｂを緑色透明の樹脂として白色発光ダイオードを用いることもできる。さらに、カエデが落葉樹であるため、秋の季節感を発光により演出しようとする場合、保持体２０Ｂを無色透明の樹脂として黄色もしくは赤色発光ダイオードを用いる他、保持体２０Ｂを黄色もしくは赤色の透明の樹脂として白色発光ダイオードを用いることもできる。
【００２６】
加えて、前記の電飾片３０Ｃのようにヒイラギ（柊）の葉形状を模しているため、クリスマスの時期の風情を演出することができる。この場合も、保持体２０Ｂと同様に、保持体２０Ｂを無色透明の樹脂として緑色発光ダイオードを用いる他、保持体２０Ｂを緑色透明の樹脂として白色発光ダイオードを用いることもできる。むろん、カエデ、ヒイラギの樹木の外観に応じて幹部材、中枝部材、小枝部材等の形状が変更され、より忠実に樹木形状を模すようにすることは言うまでもない。また、当然に電飾片は、サクラの花形状、カエデ，ヒイラギの葉形状に限られることはなく、適宜である。
【００２７】
上述の通り、種々の発光ダイオードの発光色と保持体と重ね合わせて電飾片の発色を構成している。しかしながら、重ね合わせの態様によっては、表現可能な発色が限られる場合もある。
【００２８】
そこで、表現可能な発色をより多様とするため、請求項３の発明に規定するように、発光ダイオードの表面４２に樹脂製の被膜を被着させることができる。図８（ａ）に示すように、発光ダイオード４０に該発光ダイオードの直径よりも内径が大である円筒形状の樹脂製の被膜４３が被せられる。そして、図８（ｂ）に示すように、この被膜４３に熱が加えられることにより、被膜４３は収縮して発光ダイオード４０の表面に被着する。なお、樹脂製の被膜は円筒形状に限られることはなく、平板状の被膜を巻き取り後、適宜の接着剤を用いて発光ダイオードの表面に被着させることもできる。この被膜として、ポリプロピレン、ポリ塩化ビニル等の樹脂が用いられる。
【００２９】
発色の調整の一例として、白色発光ダイオードに赤色透明の被膜を被着させることにより、発光は淡い赤色、桃色等に変化させることができる。従って、無色透明の樹脂からなる保持体に、被膜を有する発光ダイオードを用いることにより、微妙な色調表現が可能となる。
【００３０】
以上図示し説明した電飾片は、図９に示す通り、複数束ねられて電飾部材５０とされる。実施例によると、電飾片３０は、発光ダイオードの電極が保護・収容される支持軸５１に接続される。支持軸５１の内部には、発光ダイオードへの電源供給用の配線が収容され、さらに支持軸同士は軸基５２で１本に束ねられている。実施例はサクラの花を模しているため、電飾部材は３個の電飾片を束ねている。そのため、種々の樹木（花、葉）に応じ束ねられている電飾片の数も当然に異なる。
【００３１】
続いて、図１０に示す通り、前記電飾部材５０は複数寄せ合わされると共に支持枝６１に接続され、電飾枝部６０が構成される。実施例の電飾枝部６０によると、支持枝６１には４箇所の接続点６２が設けられ、それぞれの接続点６２につき、３個の電飾部材５０（３個の軸基５２）が接続される。支持枝６１の内部にも、電飾部材（発光ダイオード）への電源供給用の配線が収容されている。図示を省略するが、支持枝には接続点を２箇所とした電飾枝部も存在する。
【００３２】
このようにして、前掲の図３の通り、複数本の電飾枝部６０が小枝本体部１４に接続され、１本の小枝部材１３が構成される。ちなみに、実施例の電飾樹木構造体において、模様替え、保守・点検等を行う場合、その作業量、程度に応じ保持体の交換、電飾部材の交換、電飾枝部の交換、小枝部材の交換を選択することができる。よって、作業効率の向上に加えて、季節毎に異なる演出（例えば、サクラの花をサクラの葉に交換）も容易である。
【００３３】
上記の電飾片３０（３０Ａ，３０Ｂ，３０Ｃ）、支持軸５１及び支持枝６１の間の接続においては、雨水、埃等の侵入から内部の配線を保護するため、部材、接続箇所の絶縁、被覆が好適に行われている。
【００３４】
さらに、実施例の電飾樹木構造体においては、幹部材１１、中枝部材１２、小枝部材１３の外表面に、電飾枝部に電源供給用の電気配線（各種のハーネス）１５０が配設され、発光ダイオードの点灯・消灯を制御する回路基板を収容するコントローラボックス（図示せず）も備えられている。そこで、請求項４の発明に規定するように、幹部材１１、中枝部材１２、小枝部材１３の少なくとも一以上に、保護カバー体１００が巻着されている。実施例においては、図１１に示すように、幹部材１１の外表面に断面視略Ｃ字状の切れ目１０２を有する保護カバー体１００が巻着されている例を示す。
【００３５】
このように保護カバー体１００を幹部材１１等に巻着して切れ目１０２を塞ぐことにより、各電飾枝部６０に電気配線（各種のハーネス）１５０、コントローラボックスは雨水、埃等から保護される。また、保護カバー体１００はポリウレタン樹脂、塩化ビニル樹脂等の耐久性を有する素材で形成され、同時に保護カバー体の表面模様１０１は、現実の樹木の樹皮（例えば、サクラの樹皮等）を模した意匠形面を有している。従って、保護カバー体を用いて電気配線、コントローラボックスを覆い隠すことができるため、樹木形状の外観（すなわち電飾樹木構造体の外観）を損なうことがなくなる。
【００３６】
とりわけ、実施例のように保護カバー体１００に切れ目１０２が設けられているため、幹部材への巻き着及び取り外しの利便性が向上し、保護カバー体自体の交換、電気配線、図示しないコントローラボックス、さらには各部材の接続箇所等の保守・点検が容易となる。むろん、切れ目を備えず保護カバー体を単純な円筒形状とすることも可能である。なお、保護カバー体の上部１０３及び下部１０４には、互いに嵌合可能な段部（図示せず）を設け、保護カバー体同士の接続を容易とすることもできる。
【００３７】
前記中枝部材１２、小枝部材１３に対する保護カバー体の巻着に関しては、幹部材１１の場合と同様であるため、図示及び説明を省略する。
【００３８】
以上の通り図示し詳述した実施例の電飾樹木構造体によると、大きさ次第であるが、全体で電飾片３０は８０００〜１２０００個接続される。また、例えば、好適に電源回路を形成することにより、電飾部材を構成する電飾片のうち２個が順次点灯（つまり１個は消灯）し続け、電飾樹木構造体の全電飾片の２／３が順次切り替わりながら点灯する態様とすることができる。なお、発光、点灯の態様は、この電飾樹木構造体の設置場所（遊園地、遊戯施設等）、顧客の要求いかんにより、自由に設定される。
【図面の簡単な説明】
【００３９】
【図１】本発明の電飾樹木構造体の全体側面図である。
【図２】幹部材と中枝部材と小枝部材との接続を示す概略図である。
【図３】小枝部材の全体側面図である。
【図４】保持体の上面図及び側面図である。
【図５】電飾片の概略断面図である。
【図６】第２実施例に係る電飾片の概略断面図である。
【図７】第３実施例及び第４実施例に係る電飾片の上面図である。
【図８】被膜が被着される工程を示す概略図である。
【図９】電飾部材の概略側面図である。
【図１０】電飾枝部の概略側面図である。
【図１１】保護カバー体の概略斜視図である。
【符号の説明】
【００４０】
１０  電飾樹木構造体
１１  幹部材
１２  中枝部材
１３  小枝部材
１４  小枝本体部
２０，２０Ａ，２０Ｂ，２０Ｃ  保持体
２１  花弁
３０，３０Ａ，３０Ｂ，３０Ｃ  電飾片
４０  発光ダイオード
４３  被膜
５０  電飾部材
５１  支持軸
６０  電飾枝部
６１  支持枝
１００  保護カバー体
【図１】
2006056105.tif 000003
【図２】
2006056105.tif 000004
【図３】
2006056105.tif 000005
【図４】
2006056105.tif 000006
【図５】
2006056105.tif 000007
【図６】
2006056105.tif 000008
【図７】
2006056105.tif 000009
【図８】
2006056105.tif 000010
【図９】
2006056105.tif 000011
【図１０】
2006056105.tif 000012
【図１１】
2006056105.tif 000013